(57)【特許請求の範囲】
【請求項１】
シートを固定体に定着させる装置であって、
前記シートの縁部を保持する長尺状の係止部材と、
前記固定体に固定される固定部材と、
前記固定部材との間に前記シートを挟み込む押さえ部材と、を備え、
前記係止部材は、前記シートの縁部を挿入可能な本体部と、この本体部から突出する被係止片と、を有すると共に、前記固定部材と前記押さえ部材との間に形成される空間に配設され、
前記本体部は、当該本体部に挿入された前記縁部から延出するシートを挿通させる切欠き部と、この切欠き部と前記被係止片との間に設けられ且つ外面が外側に向かって膨出する湾曲状の支持面部と、を有し、
前記固定部材は、前記空間に面する受け面であって、前記シートの張力によって作用する前記支持面部からの力を受け且つ前記係止部材の回動時における前記支持面部の外面の移動方向に沿う凹湾曲状の受け面と、前記被係止片を係止させるための係止部と、を有し、
前記被係止片は、前記空間内で、前記支持面部が前記受け面に沿うように前記係止部材が回動されることにより、前記係止部に係止されるシート定着装置。
【請求項２】
前記被係止片は、前記本体部において前記切欠き部と反対側に設けられ、
前記本体部は、前記シートの定着作業において前記係止部材が前記固定部材に係止するように当該本体部を回動させるときに用いられる冶具を着脱可能な冶具取付部を前記支持面部と反対側に有する請求項１に記載のシート定着装置。
【請求項３】
前記冶具取付部は、前記本体部の周方向において、保持したシートに加わる張力方向と直交する方向よりもシート側に向かって開口する溝部を有することを特徴とする請求項２に記載のシート定着装置。
【請求項４】
前記係止部は、前記係止部材を挟んで前記受け面と反対側に設けられ且つ前記固定部材と前記押さえ部材との間に形成される前記空間に面する前記固定部材の側面から前記本体部に向かって突出する請求項３に記載のシート定着装置。
【請求項５】
請求項１乃至４のいずれか１項に記載のシート定着装置と、
前記シート定着装置における係止部材の本体部にその縁部が保持されるシートと、を備えるシート定着構造。
【発明の詳細な説明】
【技術分野】
【０００１】
本発明は、シートを用いてエアドームやテント等の膜構造建築物等を組み立てるときに、その建築物においてシートを定着させるシート定着装置、係止部材、及びシート定着構造に関する。
【背景技術】
【０００２】
従来、膜構造建築物等の組み立て等においてシートを定着させるときに、建築物等の所定の位置に配置された固定部材にシートの縁部を係止させるシート定着装置として、特許文献１に記載のものがある。
【０００３】
このシート定着装置では、図７に示されるように、建築物の支持部材等の固定体１００に固定される固定部材１１０と、この固定部材１１０にシート１０２の縁部１０２ａを係止させるための係止部材１２０と、係止部材１２０を固定部材１１０に向けて押さえ付ける押さえ部材１３０と、が用いられる。
【０００４】
具体的に、固定部材１１０は、シート１０２の縁部１０２ａに沿って延びる長尺部材であり、その内部に係止部材１２０が挿入される取付凹部１１２を有する。この取付凹部１１２は、図７において下方に向かって凹み、固定部材１１０の幅方向外側の側面１１４から内側に向けて係合片１１６が突出している。係止部材１２０は、シート１０２の縁部１０２ａを保持する本体部１２２と、本体部１２２の下端から外側に向かって突出し、前記取付凹部１１２の係合片１１６と係合する係合部１２４とを有する。係合部１２４は、図７の略下方に延びてその先端部が外向きに屈曲している。そして、この係合部１２４の先端部が取付凹部１１２の係合片１１６に係止されることによって係止部材１２０が取付凹部１１２内に固定される。
【０００５】
このシート定着装置では、シート１０２を定着させるときに、係合部１２４を係合片１１６の下側に嵌め込むべく、シート１０２の縁部１０２ａを保持した状態の係止部材１２０を固定位置よりも幅方向内側までシート１０２の張力に逆らって引っ張る必要がある。そして、係止部材１２０を取付凹部１１２内に挿入して、係止部材１２０を固定部材１１０の幅方向外側に僅かに移動させることで、係止部材１２０の係合部１２４が取付凹部１１２内の係合片１１６と係合する。これにより、シート１０２の縁部１０２ａが固定部材１１０に係止される。
【先行技術文献】
【特許文献】
【０００６】
【特許文献１】特開２００７−３１４９９０号公報
【発明の概要】
【発明が解決しようとする課題】
【０００７】
上記の係止部材１２０では、係合部１２４が固定部材１１０の係合片１１６と係合することによって固定部材１１０に係止されるため、本体部１２２から突出する係合部１２４をシート１０２の張力に対向して係合片１１６との係合状態を維持できるだけの十分な強度を確保できるような大きさ等にしなければならない。また、固定部材１１０も、その取付凹部１１２内において、係合部１２４を係合片１１６に係合させるために本体部１２２を固定部材１１０の幅方向に移動できる余裕を持たせた大きさの収容空間（係止部材１２０が挿入される空間）を確保できる大きさにしなければならず、省スペース化を図ることが困難である。
【０００８】
また、上記の係止部材１２０では、シート１０２を定着させるときに、当該係止部材１２０を取付凹部１１２内における固定位置よりも固定部材１１０の幅方向内側までシート１０２の張力に逆らって引っ張ってから固定部材１１０の取付凹部１１２内に挿入しなければならず、一時的にシート１０２に必要以上の大きな負荷がかかる。そのため、シートの定着作業における作業負担が大きいと共に、定着作業中にシート１０２にダメージを与える要因にもなりかねない。
【０００９】
そこで、本発明は、上記問題点に鑑み、固定部材における係止部材の収容空間の省スペース化を図ることができ、且つシートの定着作業における作業負荷を低減することが可能なシート定着装置、このシート定着装置に用いられる係止部材、及びシート定着構造を提供することを課題とする。
【課題を解決するための手段】
【００１０】
そこで、上記課題を解消すべく、本発明は、シートを固定体に定着させる装置であって、前記シートの縁部を保持する長尺状の係止部材と、前記固定部材との間に前記シートを挟み込む押さえ部材と、を備える。そして、前記係止部材は、前記シートの縁部を挿入可能な本体部と、この本体部から突出する被係止片と、を有すると共に、前記固定部材と前記押さえ部材との間に形成される空間に配設され、前記本体部は、当該本体部に挿入された前記縁部から延出するシートを挿通させる切欠き部と、この切欠き部と前記被係止片との間に設けられ且つ外面が外側に向かって膨出する湾曲状の支持面部と、を有し、前記固定部材は、前記空間に面する受け面であって、前記シートの張力によって作用する前記支持面部からの力を受け且つ前記係止部材の回動時における前記支持面部の外面の移動方向に沿う凹湾曲状の受け面と、前記被係止片を係止させるための係止部と、を有し、前記被係止片は、前記空間内で、前記支持面部が前記受け面に沿うように前記係止部材が回動されることにより、前記係止部に係止される。
【００１１】
この発明では、被係止片と本体部の一部である支持面部とによって係止部材を固定部材に固定させるので、当該係止部材を細く（即ち、長手方向と直交する方向の寸法を小さく）することができる。従って、従来のシート定着装置における係止部材のように本体部から突出する大きな係合部を設ける必要がない。即ち、従来の係止部材では、係合部のみで当該係止部材を固定部材に固定するため、シートの張力に対向するための十分な強度を確保するために本体部から大きな係合部を突出させていた。これに対し、上述の構成の係止部材によれば、シートの張力によって作用する力を被係止片と支持面部とに分散することができるため、本体部から突出する被係止片を従来の係合部に比べて十分に小さくすることができる。しかも、上述の構成のシート定着装置によれば、支持面部が受け面に沿うように係止部材を回動することにより係止部材が固定部材に固定されるため、従来の固定部材のように、係合部を係止片に係合させるために本体部を移動できる余裕を持たせた大きさの収容空間（図７において係止部材１２０が挿入される空間）を確保しなくてもよい。その結果、係止部材が収容される空間の省スペース化を図ることが可能となり、固定部材の小型化等を図ることが可能となる。
【００１２】
また、上述の構成のシート定着装置によれば、固定部材における係止部材の固定位置（支持面部が受け面に面接触する位置）で本体部を回動させるだけで、係止部材を固定部材に固定することができるため、シートの定着作業における労力の低減を図ることができる。即ち、上述の構成のシート定着装置では、シートを定着させるときに、係止部材を介してシートを引っ張った状態で当該係止部材の支持面部を受け面に受けさせ、その位置で支持面部が受け面に沿うように係止部材を回動させることで固定部材に係止部材が固定される。これに対し、従来のシート定着装置では、シートを定着させるときに、シートの面方向における固定位置よりもさらにシートの張力に逆らって係止部材を引っ張った上で当該係止部材を固定部材に嵌め込まなくてはならない。従って、上述の構成のシート定着装置によれば、係止部材をシートの張力に逆らって引っ張る距離を従来のシート定着装置よりも縮めることができ、これにより、シートを定着させるときの作業負荷を低減することが可能となると共に、定着作業中にシートへのダメージを与える可能性も低減することが可能となる。
【００１３】
本発明に係るシート定着装置においては、前記被係止片は、前記本体部において前記切欠き部と反対側に設けられ、前記本体部は、前記シートの定着作業において前記係止部材が前記固定部材に係止するように当該本体部を回動させるときに用いられる冶具を着脱可能な冶具取付部を前記支持面部と反対側に有することが好ましい。
【００１４】
かかる構成によれば、冶具取付部に冶具を取り付けることで、シートの張力が作用した状態で支持面部が受け面に沿うように係止部材を回動させ易くなると共に、シートの張力に逆らって係止部材を固定部材における係止位置まで移動させ易くなる。しかも、支持面部と反対の側に冶具を取り付けることができるため、冶具を取り付けた状態のままで係止部材を固定部材における固定位置まで移動させ、支持面部が受け面に沿うように係止部材を回動させることができる。
【００１５】
また、被係止片が切欠き部と反対側に設けられる、即ち、被係止片が支持面部と冶具取付部との間に設けられることで、冶具を取り付けた状態で係止部材を固定部材の固定位置まで移動させる作業、及び、被係止片を固定部材の係止部に係止させるために係止部材を回動させる作業において冶具取付部に取り付けた冶具が邪魔にならない。
【００１６】
前記冶具取付部は、前記本体部の周方向において、保持したシートに加わる張力方向と直交する方向よりもシート側に向かって開口する溝部を有することが好ましい。
【００１７】
かかる構成によれば、冶具を溝部に挿入し、シートによって引っ張られる方向と反対向きに冶具を押すことで係止部材を引っ張ることができる。即ち、溝部が本体部の周方向においてシート側に向かって開口することにより、冶具を溝部に引っ掛けた状態で係止部材を移動させることができるため、冶具を溝部内に固定しなくてもシートの張力に逆らって係止部材を移動させることができる。
【００１８】
しかも、係止部材の固定部材への固定後は、冶具を溝部内に挿入しているだけであるため、冶具を引き抜くだけで本体部から容易に取り外すことができる。
【００１９】
前記係止部は、前記係止部材を挟んで前記受け面と反対側に設けられ且つ前記固定部材と前記押さえ部材との間に形成される前記空間に面する前記固定部材の側面から前記本体部に向かって突出することが好ましい。
【００２０】
かかる構成によれば、被係止片を係止部に係止させるために本体部を回動させる労力を軽減することができる。具体的には、冶具取付部の溝部がシート側に向かって開口しているため、この溝部に挿入した冶具をシートから離れる方向に押圧することにより、本体部の周方向において、シートに引っ張られる方向と反対方向に本体部を回動させることができる。そして、回動させた状態で冶具による前記押圧を止めると、本体部は、シートの張力によって先ほどとは反対向きに回動する。これにより、冶具を押圧して本体部を回動させた状態で係止部材を被係止片側から先に受け面と前記側面との間に挿入でき、しかも、前記押圧の力を緩めると、本体部がシートの張力によって回動して被係止部が前記側面から突出する係止部に当接するため、シートの張力を利用しながら係止部材を固定部材に固定することができる。
【００２３】
また、上記課題を解消すべく、本発明は、上述のいずれかのシート定着装置と、前記シート定着装置における係止部材の本体部にその縁部が保持されるシートと、を備える。
【００２４】
この発明では、従来のシート定着構造における係止部材のように本体部から突出する大きな係合部を設けなくても、被係止片と本体部の一部である支持面部とによって係止部材を固定部材に固定させることにより、当該係止部材を細くすることができる。しかも、上述の構成のシート定着構造によれば、支持面部が受け面に沿うように係止部材を回動することにより係止部材が固定体に固定されるため、係合部を係止片に係合させるために本体部を移動できる余裕を持たせた大きさの収容空間を確保しなくてもよく、その結果、係止部材が収容される空間の省スペース化を図ることが可能となる。
【００２５】
また、上述の構成のシート定着構造によれば、固定部材における係止部材の固定位置で本体部を回動させるだけで、係止部材を固定体に固定することができるため、シートの定着作業における労力の低減を図ることができる。
【発明の効果】
【００２６】
以上より、本発明によれば、固定部材における係止部材の収容空間の省スペース化を図ることができ、且つシートの定着作業における作業負荷を低減することが可能なシート定着装置、このシート定着装置に用いられる係止部材、及びシート定着構造を提供することができる。
【図面の簡単な説明】
【００２７】
【図１】本実施形態に係るシート定着構造を適用した構造物を模式的に示した図である。
【図２】シートの配置状態を説明するための図である。
【図３】前記シート定着構造を示す縦断面図である。
【図４】前記シート定着構造を示す分解図である。
【図５】前記シートの定着作業を説明するための図である。
【図６】前記シートの定着作業を説明するための図である。
【図７】従来のシートの定着構造を示す縦断面図である。
【発明を実施するための形態】
【００２８】
以下、本発明の一実施形態について、添付図面を参照しつつ説明する。
【００２９】
図１は、本発明のシート定着構造を適用した構造物の一例を模式的に表す正面図である。
【００３０】
本実施形態に係るシート定着構造は、構造物の支持部材１０にシート３０を定着させるための構造であり、シート３０と、このシート３０の縁部を支持部材１０に定着させるためのシート定着装置２０とを備えている。
【００３１】
構造物は、所定の間隔をおいて並ぶ複数（本実施形態の例では３つ）の支持部材（固定体）１０を有する。支持部材１０は、当該支持部材１０の並ぶ方向と直交し且つ水平に延びる水平板１０ａと、この水平板１０ａを支持するために当該水平板１０ａの下側に当該水平板１０ａの延びる方向に所定間隔で並ぶ支柱１０ｂ、１０ｂ、…とを有する。この水平板１０ａの上にシート定着装置２０が配置され、このシート定着装置２０によって両側のシート３０、３０が支持部材１０に定着させられる。
【００３２】
各シート３０は、図２にも示されるように、複数の膜体３２ａ、３２ｂ、３４ａを備え、シート本体３２と接続部３４とを有する。シート本体３２は、シート定着装置２０の外側（図１においては支持部材１０の間）に主として存在するものであり、このシート本体３２は、複数の膜体３２ａ、３２ｂの周縁部が積層された状態で互いに固着された構成である。そして、各膜体間（例えば膜体３２ａ、３２ｂ間）は気密状態となっている。このシート本体３２は、積層された膜体３２ａ、３２ｂ間に流体（本実施形態では空気）が充填されており、これにより中央部がシートの厚み方向に膨出した形状を有する。
【００３３】
接続部３４は、シート本体３２の周縁部に接続される部位であり、シート定着装置２０の内部に存在する。接続部３４の一端３４ｂは、シート本体３２を構成する膜体３２ａ、３２ｂの端部と重ね合わされると共に固着されている。即ち、シート３０は、シート本体３２の膜体３２ａ、３２ｂと接続部３４の膜体３４ａとが固着された固着部３６を有している。本実施形態では、シート３０が３つの膜体３２ａ、３２ｂ、３４ａを有し、そのうちの２つの膜体３２ａ，３２ｂがシート本体３２を構成し、１つの膜体３４ａが接続部３４を構成している。尚、固着部３６では、熱溶着や接着剤による接着、強度の必要ないところでは両面テープによる貼着によって膜体３２ａ、３２ｂ、３４ａ同士が固着されている。
【００３４】
膜体３２ａ、３２ｂ、３４ａは、フッ素樹脂やポリ塩化ビニル樹脂、ポリエチレン樹脂等の合成樹脂によって形成されたフィルムや、繊維織布や編物等によって形成された芯材の少なくとも片方の面に上記合成樹脂を被覆したシート等である。本実施形態の膜体３２ａ、３２ｂ、３４ａは、例えば、フッ素樹脂により形成されたフィルムであり、フッ素樹脂として、テトラフルオロエチレン−エチレン共重合体（ＥＴＦＥ）が使用され、大きさが例えば４×４ｍの正方形で、厚さが例えば５０〜５００μｍである。
【００３５】
このようなシート３０の縁部３３は、係止部材２１０に保持される被保持部を構成する。この被保持部３３は、シート本体３２において当該被保持部３３と隣接する部位と比べて、厚さ寸法（図２における上下方向の寸法）が大きくなるように構成される。具体的に、本実施形態の被保持部３３は、シート本体３２を構成するために積層されている膜体３２ａ、３２ｂのうちのいずれかの膜体（図２に示す例では、下側の膜体３２ａ）の端部を、長尺状の芯材３８を内包するように折り返すことによって形成されている。この膜体３２ａの折り返された部位の先端は、固着部３６において他の膜体３２ｂ，３４ａと共に積層された状態で固着されている。
【００３６】
一方のシート３０の接続部３４は、他方のシート３０の接続部３４と接続されている。即ち、一方のシート３０の接続部３４は、他方のシート３０の接続部３４に向かって延びている。一方のシート３０の接続部３４の一端３４ｂは、前記のように固着部３６でシート本体３２の膜体３２ａ、３２ｂと固着され、他端３４ｃは、他方のシート３０の接続部３４の他端３４ｃと重ねられる。本実施形態では、接続部３４の他端３４ｃ、３４ｃ同士は、両面テープ３９によって接合されているが、これに限定されない。
【００３７】
図３は、本実施形態のシート定着構造を示す縦断面図であり、図４は、その分解図である。
【００３８】
本実施形態のシート定着構造におけるシート定着装置２０は、シート３０の被保持部（縁部）３３を保持する長尺状の係止部材２１０と、支持部材１０に固定される固定部材２２０と、この固定部材２２０に取り付けられる押さえ部材２３０と、を備える。
【００３９】
係止部材２１０は、シート３０の縁部３３に沿って延び、この縁部（被保持部）３３を挿入可能な本体部２１１と、この本体部２１１から突出する被係止片２１２と、を有し、固定部材２２０と押さえ部材２３０との間に形成される空間（係止部材収容空間）Ｓ１に配設される。
【００４０】
本体部２１１は、当該本体部２１１に挿入された被保持部３３から延出するシート３０を挿通させる切欠き部２１３と、この切欠き部２１３と被係止片２１２との間に設けられる支持面部２１４とを有する。切欠き部２１３は、本体部２１１の内側の空間（被保持部収容空間）Ｓ２と本体部２１１の外側の空間とを連通させる部位である。切欠き部２１３は、本体部２１１において、長さ方向の全体に亘って形成される。この切欠き部２１３におけるシート３０の通過する部位の間隔は、被保持部３３の芯材３８の径よりも小さい。
【００４１】
支持面部２１４の外面２１４ａは、外側に向かって膨出する湾曲形状を有する。詳しくは、支持面部２１４の外面２１４ａは、本体部２１１の長手方向と直交する断面が外側に向かって膨出する円弧となる湾曲状の面である。
【００４２】
また、本体部２１１は、シート３０の定着作業において、係止部材２１０が固定部材２２０に係止するように当該本体部２１１を回動させるときに用いられる冶具を着脱可能な冶具取付部２１５を有する。この冶具取付部２１５は、本体部２１１において、支持面部２１４と被保持部収容空間Ｓ２を挟んで反対側に設けられる。
【００４３】
冶具取付部２１５は、本体部２１１から突出し、本体部２１１の周方向において、保持したシート３０に加わる張力方向（図３の矢印Ｔ参照）と直交する方向よりもシート３０側に向かって開口する溝部２１５ａを有する。この溝部２１５ａには、冶具の先端部が挿入される（図５参照）。尚、この冶具取付部２１５の溝部２１５ａは、本体部２１１に沿って連続してもよく、断続していてもよい。
【００４４】
被係止片２１２は、本体部２１１において、切欠き部２１３と被保持部収容空間Ｓ２を挟んで反対側に設けられる。この被係止片２１２は、係止部材収容空間Ｓ１内で支持面部２１４が固定部材２２０の受け面２２２に沿うように係止部材２１０が回動されることにより、固定部材２２０の係止部２２４によって係止される。
【００４５】
固定部材２２０は、一方向（シート３０の縁部に沿う方向）に延びる形状を有する。この固定部材２２０は、前記一方向と直交する断面において、両サイドの肉厚の部位２２０ａ、２２０ａと、中央の突設部位２２０ｂと、肉厚の部位２２０ａ及び突設部位２２０ｂの間に設けられる取付凹部２２１、２２１と、を備える。
【００４６】
突設部位２２０ｂには、固定部材２２０に押さえ部材２３０を固定するためのボルトＢ２が螺入される雌ねじ穴部２２０ｃが設けられる。
【００４７】
肉厚の部位２２０ａには、固定部材２２０を支持部材１０（水平板１０ａ）に固定するためのボルトＢ１を受けるボルト受け部２２０ｄが設けられる。肉厚の部位２２０ａの支持部材１０と反対側の端部には、傾斜したシート受け面２２５が形成されている。このシート受け面２２５は、固定部材２２０の幅方向において、取付凹部２２１の外側に形成されている。そして、シート受け面２２５は、外側に向かって支持部材１０から離れる方向（例えば、図３においては、外側に向かって高くなる方向）に傾斜している。本実施形態の固定部材２２０は、このシート受け面２２５上に当該シート受け面２２５に沿って配置される防水部材２２６を有する。この防水部材２２６の表面（固定部材２２０と反対側の面）は、シート受け面２２５と略平行である。そして、係止部材２１０に挿入された被保持部３３から延出するシート３０がこの防水部材２２６上に配置される。このとき、シート３０の固着部３６は、固定部材２２０の幅方向において、防水部材２２６の外側端部よりも内側に位置する。本実施形態の防水部材２２６は、ゴムにより形成されている。
【００４８】
取付凹部２２１は、シート３０の縁部３３に沿って延び、係止部材２１０が挿入される部位である。この取付凹部２２１は、押さえ部材２３０との間に空間（係止部材収容空間）Ｓ１を形成する。取付凹部２２１は、係止部材収容空間Ｓ１に面する受け面２２２を有し、この受け面２２２は、シート受け面２２５の内端からほぼ垂直に延びる面２２７と連続するように形成されている。このほぼ垂直に延びる面２２７は、上側が固定部材２２０の幅方向外側（隣接するシート受け面２２５側）に向ってわずかに傾斜している。
【００４９】
受け面２２２は、シート３０の張力Ｔによって作用する支持面部２１４からの力を受ける面であり、凹湾曲形状を有する。具体的に、受け面２２２は、係止部材２１０の支持面部２１４の外面２１４ａと対応する湾曲形状を有し、係止部材収容空間Ｓ１内に配置された（即ち、取付凹部２２１内に挿入された）係止部材２１０の支持面部２１４における外面２１４ａと面接触している。そのため、支持面部２１４を受け面２２２に沿って回動させることができ、これにより、係止部材２１０を固定部材２２０における固定位置で回動させることができる。
【００５０】
また、取付凹部２２１は、係止部材２１０を挟んで受け面２２２と反対側に設けられ且つ係止部材収容空間Ｓ１に面する側面（突設部位２２０ｂの側面）２２３を有する。この側面２２３からは、係止部材２１０の本体部２１１に向かって係止部２２４が突出している。この係止部２２４は、前記のように被係止片２１２を係止させるための部位である。具体的に、係止部２２４は、係止部材収容空間Ｓ１内に配置された係止部材２１０を支持面部２１４が受け面２２２に沿うように回動させることにより被係止片２１２が当接する当接面２２４ａを有する。この当接面２２４ａは、例えば図３に示す姿勢で固定部材２２０を支持部材１０に固定した場合、固定部材２２０の側面２２３から下を向いた状態で水平若しくは先端側が斜め下に向かって延びている。
【００５１】
このような取付凹部２２１内に係止部材２１０を挿入することにより、固定部材２２０に係止部材２１０が固定される。具体的に、支持面部２１４の外面２１４ａが受け面２２２と面接触し、且つ、被係止片２１２が係止部２２４に係止された（当接した）状態で固定部材２２０の取付凹部２２１内に係止部材２１０を配置することにより、係止部材２１０が固定部材２２０に固定される。
【００５２】
以上のように構成される固定部材２２０は、支持部材１０の水平板１０ａに対してボルトＢ１によって固定されている。
【００５３】
押さえ部材２３０は、固定部材２２０との間にシート３０を挟み込む。本実施形態の押さえ部材２３０は、固定部材２２０に沿って延びる板状の部材である。この押さえ部材２３０の裏面（固定部材２２０側の面）２３１の幅方向の両側には、固定部材２２０のシート受け面２２５と対応する傾斜面であるシート押圧面２３２が形成されている。この押さえ部材２３０のシート押圧面２３２と固定部材２２０のシート受け面２２５との間に係止部材２１０から延出するシート３０が配置される。換言すると、シート押圧面２３２によって係止部材２１０から延出するシート３０がシート受け面２２５に向けて押圧される。本実施形態では、係止部材２１０及びシート３０が配置された状態の固定部材２２０の上（押さえ部材２３０側）に防水カバー２３３が配置された状態で、押さえ部材２３０が固定部材２２０との間にシート３０を挟み込んでいる。
【００５４】
これにより、係止部材２１０から延出するシート３０は、防水部材２２６と防水カバー２３３とによって挟持される。この防水カバー２３３は、防水部材２２６と同様にゴムによって形成されており、シート３０に密着した状態で当該シート３０を挟み込むことによってシート本体３２に沿って雨水等が流れてきても、シート定着装置２０内への雨水等の浸入を防ぐ。これにより、シート３０が定着された構造物内への前記雨水等の浸が防がれる。
【００５５】
シート３０の固着部３６は、押さえ部材２３０（固定部材２２０）の幅方向において、シート押圧面２３２及び防水カバー２３３の外側端部よりも内側に位置する。また、この押さえ部材２３０との間にシート３０を挟み込む固定部材２２０においても、シート３０の固着部３６が固定部材２２０の外側端部よりも内側に位置している。このため、押さえ部材２３０と固定部材２２０とは、前記幅方向において、シート３０の固着部３６を超えた部位までを挟み込んだ状態で係止部材２１０を保持している。尚、本実施形態では、前記幅方向において、押さえ部材２３０のシート押圧面２３２の端部よりも固定部材２２０の防水部材２２６の端部の方が前記幅方向において外側に突出している（図３参照）。
【００５６】
このような押さえ部材２３０は、当該押さえ部材２３０を介してボルトＢ２を突設部位２２０ｂの雌ねじ穴部２２０ｃに螺入することにより固定部材２２０に取り付けられている。
【００５７】
次に、以上のようなシート定着構造を用いた支持部材１０へのシート３０の定着作業を図５及び図６を参照しつつ説明する。
【００５８】
支持部材１０の水平板１０ａ上に固定部材２２０を取り付ける。そして、シート本体３２を構成する膜体３２ａ、３２ｂ間に空気を充填する前の状態のシート３０の被保持部（縁部）３３を係止部材２１０に挿入して、係止部材２１０にシート３０を保持させる。具体的には、係止部材２１０の軸方向の端面開口から前記軸方向に沿ってシート３０の被保持部３３を挿入する。そして、冶具取付部２１５の溝部２１５ａ内に冶具の先端部を挿入する。この冶具は、溝部２１５ａの幅と対応する厚さの板状部材の先端部を屈曲させた部位を備える。
【００５９】
この冶具を係止部材２１０の周方向におけるシート３０から離れる方向（図５に示す例では、矢印Ａの方向）に押圧することにより、係止部材２１０（本体部２１１）を回動させる（図５の矢印Ｂ参照）。このとき、本体部２１１から突出する被係止片２１２の先端が取付凹部２２１の底部を向く位置まで回動させる。具体的には、取付凹部２２１において、側面２２３から突出する係止部２２４をかわして被係止片２１２を係止部２２４よりも奥まで挿入できる姿勢（図５に示すような姿勢）になるまで回動させる。
【００６０】
そして、この回動させた状態で、係止部材２１０を被係止片２１２側から先に受け面２２２と突設部位２２０ｂの側面２２３との間隙に挿入する（図５の矢印Ｃ参照）。本体部２１１の支持面部２１４が受け面２２２と面接触するまで係止部材２１０を取付凹部２２１内に挿入し、その後、冶具への押圧の力を緩める。そうすると、シート３０にはその自重等による張力（図５及び図６の矢印Ｔ参照）が働いているため、このシート３０の張力Ｔによって本体部２１１が先ほどとは反対向き（図６の矢印Ｄ参照）に回動する。これにより、支持面部２１４が受け面２２２に沿うように係止部材２１０が取付凹部２２１内で回動して被係止片２１２が係止部２２４に当接して係止される。このように、上述のシート定着装置２０によれば、シート３０の張力Ｔを利用しながら係止部材２１０を固定部材２２０に固定することができる。このとき、係止部材２１０を固定部材２２０における固定位置で回動させるため、係止のために張力Ｔに抗して係止部材２１０を移動させる必要はない。
【００６１】
次に、冶具の先端部を溝部２１５ａから引き抜く（図６の矢印Ｅ参照）。
【００６２】
このようにして、固定部材２２０の両側の取付凹部２２１、２２１内にシート３０を保持した状態の係止部材２１０をそれぞれ固定した後、防水カバー２３３と押さえ部材２３０とを順に被せ、ボルトＢ２によって押さえ部材２３０を固定部材２２０に固定する。
【００６３】
以上のようにして、シート３０が支持部材１０に定着させられる。そして、このシート３０のシート本体３２を構成する膜体３２ａ、３２ｂ間に空気を充填してシート３０を膨らませる。
【００６４】
上述のシート定着構造に用いられるシート定着装置２０によれば、被係止片２１２と本体部２１１の一部である支持面部２１４とによって係止部材２１０を固定部材２２０に固定させるので、当該係止部材２１０を細く（即ち、長手方向と直交する方向の寸法を小さく）することができる。従って、従来のシート定着装置における係止部材のように本体部から突出する大きな係合部を設ける必要がない。即ち、従来の係止部材では、係合部のみで当該係止部材を固定部材に固定するため、シートの張力に対向するための十分な強度を確保するために本体部から大きな係合部を突出させていた。これに対し、上述の構成の係止部材２１０によれば、シート３０の張力Ｔによって作用する力を被係止片２１２と支持面部２１４とに分散することができるため、本体部２１１から突出する被係止片２１２を従来の係合部に比べて十分に小さくすることができる。しかも、上述の構成のシート定着装置２０によれば、支持面部２１４が受け面２２２に沿うように係止部材２１０を回動することにより係止部材２１０が固定部材２２０に固定されるため、従来の固定部材のように、係合部を係止片に係合させるために本体部を移動できる余裕を持たせた大きさの係止部材収容空間を確保しなくてもよい。その結果、係止部材２１０が収容される係止部材収容空間Ｓ１の省スペース化を図ることが可能となり、固定部材２２０の小型化等を図ることが可能となる。
【００６５】
また、上述のシート定着装置２０によれば、固定部材２２０における係止部材２１０の固定位置（支持面部２１４が受け面２２２に面接触する位置）で本体部２１１を回動させるだけで、係止部材２１０を固定部材２２０に固定することができるため、シート３０の定着作業における労力の低減を図ることができる。即ち、上述の構成のシート定着装置２０では、シート３０を定着させるときに、係止部材２１０を介してシート３０を引っ張った状態で当該係止部材２１０の支持面部２１４を受け面２２２に受けさせ、その位置で支持面部２１４が受け面２２２に沿うように係止部材２１０を回動させることで固定部材２２０に係止部材２１０が固定される。これに対し、従来のシート定着装置では、シートを定着させるときに、シートの面方向における固定位置よりもさらにシートの張力に逆らって係止部材を引っ張った上で当該係止部材を固定部材に嵌め込まなくてはならない。従って、上述の構成のシート定着装置２０によれば、係止部材２１０をシート３０の張力Ｔに逆らって引っ張る距離を従来のシート定着装置よりも縮めることができ、これにより、シート３０を定着させるときの作業負荷を低減することが可能となる。
【００６６】
また、上述のシート定着装置２０においては、冶具取付部２１５に冶具を取り付けることで、シート３０の張力Ｔが作用した状態で支持面部２１４が受け面２２２に沿うように係止部材２１０を回動させ易くなると共に、シート３０の張力Ｔに逆らって係止部材２１０を固定部材２２０における係止位置まで移動させ易くなる。しかも、支持面部２１４と反対の側に冶具を取り付けることができるため、冶具を取り付けた状態のままで係止部材２１０を固定部材２２０における固定位置まで移動させ、支持面部２１４が受け面２２２に沿うように係止部材２１０を回動させることができる。
【００６７】
また、被係止片２１２が切欠き部２１３と反対側に設けられる、即ち、被係止片２１２が支持面部２１４と冶具取付部２１５との間に設けられることで、冶具を取り付けた状態で係止部材２１０を固定部材２２０の固定位置まで移動させる作業、及び、被係止片２１２を固定部材２２０の係止部２２４に係止させるために係止部材２１０を回動させる作業において冶具取付部２１５に取り付けた冶具が邪魔にならない。
【００６８】
また、上述のシート定着装置２０における係止部材２１０によれば、冶具取付部２１５が本体部２１１の周方向において、張力Ｔの方向と直交する方向よりもシート３０側に向かって開口する溝部２１５ａを有することにより、冶具を溝部２１５ａに挿入し、シート３０によって引っ張られる方向と反対向きに係止部材２１０を押すこと引っ張ることができる。即ち、溝部２１５ａが本体部２１１の周方向においてシート３０側に向かって開口することにより、冶具を溝部２１５ａに引っ掛けた状態で係止部材２１０を移動させることができるため、冶具を溝部２１５ａ内に固定しなくてもシート３０の張力Ｔに逆らって係止部材２１０を移動させることができる。
【００６９】
しかも、係止部材２１０の固定部材２２０への固定後は、冶具を溝部内に挿入しているだけであるため、冶具を引き抜くだけで本体部２１１から容易に取り外すことができる。
【００７０】
尚、本発明のシート定着装置、この装置に用いられる係止部材、及びシート定着構造は、上記実施形態に限定されるものではなく、本発明の要旨を逸脱しない範囲内において種々変更を加え得ることは勿論である。
【００７１】
シート本体３２を構成する膜体の数は、２つに限定されず、例えば、１つでもよく、また、３つ以上でもよい。
【００７２】
また、上記実施形態では、固定部材２２０に設けられる取付凹部２２１の数は２つであるが、これに限定されず１つでもよい。
【００７３】
また、上記実施形態では、冶具取付部２１５は冶具の先端部が挿入される溝部２１５ａを有しているがこの構成に限定されない。冶具取付部は、シートの張力がかかった状態で係止部材を移動及び回動させるための冶具が着脱可能に取り付けることができればよく、例えば、ねじ等によって取り付ける構成でもよい。
【００７４】
また、上記実施形態では、受け面２２２と係止部２２４とによって固定部材２２０に対して係止部材２１０を固定しているが、これに限定されない。受け面２２２及び係止部２２４による押圧に加え、例えば、押さえ部材２３０により係止部材２１０を押さえることによって固定部材に対して係止部材２１０を固定してもよい。
【符号の説明】
【００７５】
１０   支持部材（固定体）
２０   シート定着装置
３０   シート
３３   被保持部（縁部）
２１０ 係止部材
２１１ 本体部
２１２ 被係止片
２１３ 切欠き部
２１４ 支持面部
２１４ａ  支持面部の外面
２１５ 冶具取付部
２２０ 固定部材
２２２ 受け面
２２４ 係止部
２３０ 押さえ部材
Ｓ１   係止部材収容空間
Ｔ     シートの張力
【図１】
0005706154.tif 000002
【図２】
0005706154.tif 000003
【図３】
0005706154.tif 000004
【図４】
0005706154.tif 000005
【図５】
0005706154.tif 000006
【図６】
0005706154.tif 000007
【図７】
0005706154.tif 000008